(57)【特許請求の範囲】
【請求項１】
長尺の角筒体から成る本体を電柱の側面に沿って立設し、この本体の相対向する左右の各側面に交互に略長方形状の透孔を穿ち、当該各透孔を設けた位置の、当該本体の相対向する夫々の正面及び背面の略中央の位置に夫々軸を渡して当該軸に夫々長片状のステップの一端を回動自在に軸支し、当該本体に被せる、チャネル形状の長尺のカバーの相対向する左右の各側面に、上記本体に設けた各透孔の位置より上方に一定距離ずらして、当該本体の各透孔の下端縁を基準に、当該本体の各透孔の配置と同じ配置で、縦の長さが上記透孔より短い長方形状の小透孔を穿ち、上記カバーを上記本体の正面側に摺動自在に被せて係止し、当該カバーを下方に摺動させて、当該カバーの各小透孔の位置と本体の各透孔の位置を夫々の下端縁で合わせた際、上記各ステップが透孔側に回動して、外部に突出する構成とし、上記カバーを移動させ上記ステップを収納状態にした際、当該カバーと本体に止着具を設けたことを特徴とする、格納式ステップ。
【発明の詳細な説明】
【０００１】
【発明の属する技術分野】
この発明は、電柱における電気工事などで当該電柱に昇る際、足場を設けていない電柱の下部に予め取り付けて、電柱の上部に設けてある露出した足場までの補助足場の役割を成す格納式ステップに関するものである。
【０００２】
【従来の技術】
従来より、電柱には工事等で当該電柱に登る者のために足場を取れ付けているが、作業者以外の者が登ると危険なので、それを防ぐために電柱の下部である、地面から１８０ｃｍ以下の部分には足場を取り付けていない。よって、工事等のため作業者が電柱に登る際には、その都度、別途梯子を当該電柱まで持って行き、当該電柱に立て掛けて、この梯子を登り、既設の格納式ステップに達していた。
【０００３】
【発明が解決しようとする課題】
しかし、鉄道の線路近くに立設された電柱の場合、その電柱に登るために作業者が線路の近くを長い梯子を持って歩くこと、またこの梯子を、立て掛け等のために作業者が振り回すことは、真近で電車の走行が有る線路近くでは、非常に危険であり、かなりの用心をして作業を行わなければならない。
【０００４】
そこでこの発明は、鉄道の線路の近くでの作業者の梯子の持ち歩きを不要とし、加えて作業者以外は利用できない、格納式ステップを提供して上記課題を解決するものである。
【０００５】
【課題を解決するための手段】
請求項１項の発明は、長尺の角筒体から成る本体を電柱の側面に沿って立設し、この本体の相対向する左右の各側面に交互に略長方形状の透孔を穿ち、当該各透孔を設けた位置の、当該本体の相対向する夫々の正面及び背面の略中央の位置に夫々軸を渡して当該軸に夫々長片状のステップの一端を回動自在に軸支し、当該本体に被せる、チャネル形状の長尺のカバーの相対向する左右の各側面に、上記本体に設けた各透孔の位置より上方に一定距離ずらして、当該本体の各透孔の下端縁を基準に、当該本体の各透孔の配置と同じ配置で、縦の長さが上記透孔より短い長方形状の小透孔を穿ち、上記カバーを上記本体の正面側に摺動自在に被せて係止し、当該カバーを下方に摺動させて、当該カバーの各小透孔の位置と本体の各透孔の位置を夫々の下端縁で合わせた際、上記各ステップが透孔側に回動して、外部に突出する構成とし、上記カバーを移動させ上記ステップを収納状態にした際、当該カバーと本体に止着具を設けた格納式ステップとした。
【０００８】
【発明の実施の形態】
以下この発明の実施の形態例の格納式ステップＳを図に基づいて説明する。
図１乃至図８に示すようにこの格納式ステップＳは、長尺の角筒体から成る本体Ａと長尺のチャネル形状のカバーＢから成る。図１及び図２に示すように、長尺の角筒体から成る本体Ａは、相対向する左右の側面１ａ、１ｂのうち、左側面１ａの略中央の箇所に長方形状の透孔２を１つ穿っており、本体Ａのこの透孔２の内側であって、上記左右の側面１ａ、１ｂに挟まれた相対向する正面１ｃと背面１ｄの下部に、図３に示すように、その正面１ｃ側からボルト３を渡して背面１ｄの外側で、ゆるみ止め防止材付のナット４で固定し、このボルト３によりチャネル形状で長尺のステップ５の一端部５ａを軸支している。この軸支されたステップ５の一端部５ａの両脇のボルト３には、このステップ５の一端部５ａの位置を常に本体Ａの平面略中央に維持させるためにスペーサー６を２つ夫々被せている。
【０００９】
またこのステップ５の一端部５ａの上面であって。上記ボルト３より若干他端部側の位置に、上方へ向けて円柱状の突起７を設けており、図４に示すように、ステップ５が本体Ａ内に収納された際、常にこの突起７が本体Ａ内の相対する内壁に接触することにより、ステップ５を透孔２側に傾斜させており、図５及び図６に示すように、後述するカバーＢを下方に移動して、透孔２を開口させた際、ステップ５の自重により、回動して当該透孔２より外部に突出するように設けられている。さらにこのステップ５の他端部５ｂの先端には上方に屈曲した鍵部８を設けている。
【００１０】
また本体Ａの相対向する左右の側面１ａ、１ｂのうち、右側面１ｂには上記左側面１ａの透孔２を挟んで上部と下部に、上記左側面１ａと同様の長方形状の透孔２とステップ５を夫々設けている。
【００１１】
さらに図２及び図３に示すように、本体Ａの背面１ｄの上部と下部に、平面コの字型のバンド取付け金具９を設けており、このバンド取付け金具９の相対向する左右の側面９ａには、この格納式ステップＳを電柱１０に取り付ける自在バンド１１を挿通する縦長の細穴９ｂを夫々穿っている。またこの本体Ａの下端部の正面１ｃの略中央には貫通孔１２を１つ穿っている。
【００１２】
図７及び図８に示すように、チャネル形状の長尺のカバーＢは、本体Ａより少し長めであり、相対向する左右の側面２１ａ、２１ｂに、本体Ａの３つの各透孔２の位置より上方に一定距離ずらし、上記本体Ａの左右の側面１ａ、１ｂに穿った３つの各透孔２と同じ配置及び間隔で、長方形状の小透孔２２を夫々穿っている。これらの小透孔２２は、本体Ａを立てた際の各透孔２の下端縁２ａ（図４乃至図６参照）を基準に設け、かつ本体Ａの透孔２の長さＣより若干短い長さＤとなっている。また左右の側面２１ａ、２１ｂに挟まれた正面２１ｃの上部、中部、下部の三か所には、夫々の中央の位置から下方に向かって、細巾で一定長の長孔２３を夫々穿っており、この長孔２３の長さは、カバーＢを本体Ａに被せた後摺動させて上記ステップ５を本体Ａ内に収納した際の、上記透孔２の下端縁２ａから相応する小透孔２２の下端縁２２ａまでの距離と同じになっている。さらにこのカバーＢの下端部の正面には、このカバーＢを上記本体Ａに被せて夫々の下端縁を一致させた際、当該本体Ａに設けた上記貫通孔１２と相応する位置に貫通孔２４を設け、この格納式ステップＳの不使用時にこれらの貫通孔１２、２４の位置を合わせて南京錠１３を施錠している。
【００１３】
この様な、本体ＡにカバーＢを被せ、摺動自在に係止するには、ステップ５を本体Ａに軸支しているボルト３を夫々一旦取り外し、その後カバーＢを当該本体Ａに被せる。そして上記ボルト３が貫通していた本体Ａ上の孔、ステップ５、スペーサー６及びナット４におけるボルト３を通す夫々の孔とカバーＢに設けた長孔２３の上端の位置とを合わせて、再び各ボルト３をカバーＢの長孔２３の上から通し、本体Ａ上の孔、ステップ５、スペーサー６を通し、本体Ａの外面でナット４を螺着固定する。またボルト３の頭部３ａとカバーＢとの間に隙間を設けて、カバーＢが本体Ａ上を円滑に摺動できるようにしているが、上記のとおりナット４は、ゆるみ止め防止材を備えているので、当該ナット４がゆるむことはない。またボルト３の頭部３ａは、長孔２３から突出し、さらにその径は、カバーＢに穿った長孔２３の巾より大きいので、カバーＢは、ボルト３によって係止され、長孔２３の形にしたがって上下に摺動自在となっている。
【００１４】
次にこの格納式ステップＳを電柱１０に取り付けて使用する方法を説明する。図９及び図１０に示すように、この格納式ステップＳは、本体Ａに設けた上下夫々のバンド取付け金具９の左右の側面９ａ夫々に穿った縦長の細穴９ｂに自在バンド１１を通し、これらの自在バンド１１を電柱１０の周囲に回して締め付けて固定し、これらより格納式ステップＳを電柱１０に取り付けている。
【００１５】
そして、この格納式ステップＳを使用するには、図１１及び図１２に示すように、まず本体ＡとカバーＢの夫々に設けられた貫通孔１２、２４に施錠された南京錠１３を解除して、カバーＢを引き降ろす。この時上記の通り、カバーＢは、当該カバーＢの正面２１ｃに設けられた３つの長孔２３が、３つのボルト３の頭部３ａによって、当該長孔２３の形に従って移動することにより、下降する。長孔２３の上端部が、ボルト３の頭部３ａの位置に至るとカバーＢの引き降ろしは停止する。
【００１６】
一方カバーＢの引き降ろしと同時に、図５に示すように、カバーＢの左右の各側面２１ａ、２１ｂに設けられた長方形状の各小透孔２２も下降し、本体Ａの左右の各側面１ａ、１ｂに設けられた相応する各透孔２へ近づき、夫々の小透孔２２と透孔２の開口した位置が重なり始めると、夫々のステップ５が自重により、各透孔２側に回動を始め、当該重なった透孔２、２２から外部に突出し始め、さらに図６に示すように、本体Ａの透孔２の下端縁２ａとカバーＢの小透孔２２の下端縁２２ａとが同じ位置になると、ステップ５は完全に回動して水平の状態となる。この時、カバーＢの小透孔２２の縦の長さＤが透孔２の縦の長さＣよりも短く、透孔２の開口部の上部を塞いでいるので、当該ステップ５の不用意な逆回動による収納を防止する。
【００１７】
この様にして、本体Ａ内に収納していた３つのステップ５を夫々回動させて外部に突出させる。これにより電柱１０の上部に設けた常時露出している足場までの補助の足場ができたことになる。ステップ５の他端部５ｂには、鍵部８を設けているので、作業者が安定して足をかけることができ、また何かのはずみでステップ５が逆回動しても、上記の通り透孔２の上部が塞がれているので、本体Ａ内に収納されてしまうことがなく、再度回動して水平の位置に戻る。
【００１８】
次にこの格納式ステップＳを片付けるには、使用時と逆の操作をすればよい。カバーＢを上方に上げると、突出していた左右の各ステップ５は、図５に示すようにカバーＢの各小透孔２２の下端縁２２ａに押し上げられて自動的に本体Ａ内に収納され、カバーＢの長孔２３の上端部が本体Ａのボルト３の頭部３ａに達した時点で、カバーＢの各小透孔２２が本体Ａの各透孔２を塞ぎ、ステップ５は全て本体Ａ内に収納されている。その後本体ＡとカバーＢの下端部の貫通孔１２、２４を夫々合わせて南京錠１３を係止し、施錠する。これにより作業者以外は、この格納式ステップＳを使用することができない。
【００１９】
上記実施の形態例では、本体Ａに螺着したボルト３の頭部３ａをカバーＢに設けた長孔２３から突出させ、これにより本体Ａ上をカバーＢを摺動させているが、本体Ａ上をカバーＢを摺動させる構成は、これに限るものではない。また本体Ａ内の収納時、ステップ５を透孔２に向かって常に回動するように傾斜させるのに、円柱状の突起７をステップ５の一端部の上面に向けて、本体Ａ内の内壁に接触させることにより行っているが、ステップ５を透孔２に向かって常に回動するように傾斜させる構成は、これに限るものではない。
【００２０】
さらにステップ５の形状としてチャネル形状のものを使用しているが、ステップ５の形状はチャネル形状に限るものではなく、またステップ５を本体Ａ内に軸支するのにボルト３を渡し、本体Ａ内にスペーサー６を介して軸支しているが、これらの構成は、この発明の必須要件ではない。さらにステップ５を左側に１つ、右側に２つ設けているがステップ５を設ける数量は、この数量に限るものではない。本体Ａの電柱への取付け具として、平面コの字型のバンド取付け金具９を使用しているが、取付け具としてはこれに限るものではない。
【００２１】
【発明の効果】
請求項１項の発明の格納式ステップによれば、不使用時には本体内に収容される回動自在なステップを当該本体上を摺動自在なカバーにより、外部に突出自在に設けているので、常時ステップが設置されているのではなく、作業者以外には使用できず、作業者のみの使用となる。また作業者は、予めこの格納式ステップを電柱の下部に取り付けておくことにより、線路の近くを長尺の梯子を持って歩くことが不要となり、安全である。また構造が複雑ではないので大量生産にも適している。
【００２２】
さらに、カバーの透孔を本体の透孔より小さくしているので、一旦設置されたステップが逆回動しても、本体の透孔の上部をカバーの小透孔が塞いでいるので、再び設置の方向に回動して、不用意にステップが本体内に収納されることがない。
【図面の簡単な説明】
【図１】この発明の実施の形態例の格納式ステップの本体を立設した状態の正面図である。
【図２】この発明の実施の形態例の格納式ステップの本体を立設した状態の左側面図である。
【図３】この発明の実施の形態例の格納式ステップにおいて本体内に軸支したステップの軸支した構造を表わした説明図である。
【図４】この発明の実施の形態例の格納式ステップにおいてステップを本体内に収納した状態の説明図である。
【図５】この発明の実施の形態例の格納式ステップにおいてステップを本体内に収納した状態でカバーを下降して透孔を開口し始めた状態の説明図である。
【図６】この発明の実施の形態例の格納式ステップにおいてステップを本体内に収納した状態でカバーを下降して、ステップを水平に突出させた状態の説明図である。
【図７】この発明の実施の形態例の格納式ステップのカバーを立設した状態の正面図である。
【図８】この発明の実施の形態例の格納式ステップのカバーを立設した状態の左側面図である。
【図９】この発明の実施の形態例の格納式ステップを電柱に取り付けた状態の正面図である。
【図１０】この発明の実施の形態例の格納式ステップを電柱に取り付けた状態の左側面図である。
【図１１】この発明の実施の形態例の電柱に取り付けた格納式ステップにおいて各ステップを突出させ使用状態にした正面図である。
【図１２】この発明の実施の形態例の電柱に取り付けた格納式ステップにおいて各ステップを突出させ使用状態にした左側面図である。
【符号の説明】
Ｓ    格納式ステップ                  Ａ    本体
１ａ  本体の左側面                    １ｂ  本体の右側面
１ｃ  本体の正面                      １ｄ  本体の背面
２    本体の透孔                      ３    ボルト
５    ステップ                      １０    電柱
Ｂ    カバー
２１ａ  カバーの左側面                ２１ｂ  カバーの右側面
２１ｃ  カバーの正面                  ２２    小透孔
２３    カバーの長孔
【図１】
0004405696.tif 000002
【図２】
0004405696.tif 000003
【図３】
0004405696.tif 000004
【図４】
0004405696.tif 000005
【図５】
0004405696.tif 000006
【図６】
0004405696.tif 000007
【図７】
0004405696.tif 000008
【図８】
0004405696.tif 000009
【図９】
0004405696.tif 000010
【図１０】
0004405696.tif 000011
【図１１】
0004405696.tif 000012
【図１２】
0004405696.tif 000013